(57)【要約】本発明は、状況情報処理装置およびその処理方法に関するものであって、ある地域および主題に関する映像、音響または文字データのうちのいずれか１つ以上のデータを収集し、映像データが収集された時間を基準にして映像データに音響または文字データを結合し、当該地域および主題情報を付加した状況情報データを生成して該状況情報データをウェブサーバーに転送し、ウェブサーバーから希望の主題および地域に関する時間別状況情報データを転送されて情報利用者に提供することを特徴とする。従って、より多数の情報提供者および情報利用者が、それぞれの希望する実生活状況情報、すなわち、選択した特定の地域および主題に関する最新状況情報を早くて手軽に共有することができ、まるでニュース放送を手軽に製作・編集するような効果を奏すると共に、情報の価値も高くなるという効果が得られる。
2004519135.tif 000002
【特許請求の範囲】
【請求項１】
ある地域および主題に関する映像データ、音響データ、文字データを収集する収集部と、
前記データ収集部で収集されたデータを、映像データを含めて結合した後、映像データの収集された時間を、該結合されたデータの発生時間情報として設定するデータ結合部と、
前記データ収集部で収集された映像データと、該収集された時間情報または前記データ結合部で生成された結合データに、使用者が選択した主題および地域に関するコード情報を付加し、当該地域および主題に関する時間別状況情報を示す状況情報データを生成するデータ編集部と、
前記状況情報データをウェブサーバーに転送するデータ転送部と、
前記状況情報データおよびウェブサーバーとの通信状態を表示するデータ出力部と、
前記状況情報データを生成するための使用者の外部操作信号を入力する使用者インターフェース部と、
前記使用者インターフェース部を介して入力される使用者の操作信号によって前記データ収集部、前記データ結合部、前記データ編集部、前記データ転送部および前記データ出力部の動作を制御する制御部と、
を備えてなることを特徴とする状況情報処理用携帯端末装置。
【請求項２】
請求項１において、
前記ウェブサーバーから状況情報データを受信して前記データ出力部を介して出力するデータ受信部をさらに備えることを特徴とする状況情報処理用携帯端末装置。
【請求項３】
請求項１において、前記データ編集部は、
前記状況情報データの生成時に付加される各主題および地域別コード情報を別の格納部に格納することを特徴とする状況情報処理用携帯端末装置。
【請求項４】
請求項１において、前記データ編集部は、
前記状況情報データの生成時に付加される各主題および地域別コード情報をウェブサーバーから提供されて使用することを特徴とする状況情報処理用携帯端末装置。
【請求項５】
請求項１において、前記データ転送部は、
前記状況情報データの転送時に前記携帯端末装置の識別情報、時間情報および使用者情報を該状況情報データに付加して転送することを特徴とする状況情報処理用携帯端末装置。
【請求項６】
ある地域および主題に関する映像、音響および文字情報のうちのいずれか１つ以上の情報を収集し、該収集された時間情報と共に出力する携帯端末機と、
前記携帯端末機で収集された情報に基づいて、当該地域および主題に関する時間別状況情報を示す状況情報データを生成し、該状況情報データをウェブサーバーに転送するデータ処理部と、
を備えてなることを特徴とする状況情報処理用携帯端末装置。
【請求項７】
請求項６において、前記データ処理部は、
前記データ収集部で収集された情報を結合した後、映像情報が収集された時間を該結合されたデータの発生時間情報として設定するデータ結合部と、
前記データ収集部で収集された映像データと、該収集された時間情報または前記データ結合部で生成された結合データに、使用者が選択した主題および地域に関するコード情報を付加し、当該地域および主題に関する時間別状況情報を示す状況情報データを生成するデータ編集部と、
前記状況情報データをウェブサーバーに転送するデータ転送部と、
前記状況情報データおよびウェブサーバーとの通信状態を表示するデータ出力部と、
前記状況情報データを生成するための使用者の外部操作信号を入力する使用者インターフェース部と、
前記使用者インターフェース部を介して入力される使用者の操作信号によって前記データ結合部、前記データ編集部、前記データ転送部および前記データ出力部の動作を制御する制御部と、
を備えてなることを特徴とする状況情報処理用携帯端末装置。
【請求項８】
請求項７において、前記データ編集部は、
前記状況情報データの生成時に付加される各主題および地域別コード情報を別の格納部に格納することを特徴とする状況情報処理用携帯端末装置。
【請求項９】
請求項７において、前記データ編集部は、
前記状況情報データの生成時に付加される各主題および地域別コード情報をウェブサーバーから提供されて使用することを特徴とする状況情報処理用携帯端末装置。
【請求項１０】
請求項７において、前記データ転送部は、
前記状況情報データの転送時に前記携帯端末装置の識別情報、時間情報および使用者情報を当該状況情報データに付加して転送することを特徴とする状況情報処理用携帯端末装置。
【請求項１１】
携帯型端末装置を用いてある地域および主題に関する映像、音響または文字データのうちのいずれか１つ以上のデータを収集する第１の過程と、
前記収集されたデータを、映像データを含めて結合した後、映像データが収集された時間を、該結合されたデータの発生時間情報として設定する第２の過程と、
前記第１の過程で収集された映像データと、該収集された時間情報または前記第２の過程で発生された結合データに、使用者が選択した主題および地域に関するコード情報を付加し、当該地域および主題に関する時間別状況情報を示す状況情報データを生成する第３の過程と、
ウェブサーバーに前記状況情報データを転送する第４の過程と、
を含むことを特徴とする状況情報処理方法。
【請求項１２】
請求項１１において、前記第３の過程は、
前記状況情報データの生成時に別の格納部に格納された主題および地域別コード情報を参照することを特徴とする状況情報処理方法。
【請求項１３】
請求項１１において、前記第３の過程は、
前記状況情報データの生成時にウェブサーバーから当該主題および地域別コード情報を提供されて使用することを特徴とする状況情報処理方法。
【請求項１４】
請求項１１において、前記第４の過程は、
前記携帯端末装置の識別情報、時間情報および使用者情報を前記状況情報データに付加して転送することを特徴とする状況情報処理方法。
【請求項１５】
請求項１１において、前記状況情報データは、
映像データまたは該映像データに音響および文字データのいずれか１つが結合された結合データに地域および主題コードを付加し、当該地域および主題に関する状況情報を示す状況情報領域と、
前記状況情報の発生地域に関する情報を示す地域情報領域と、
前記状況情報の発生時間に関する情報を示す時間情報領域と、
前記状況情報の主題情報を示す主題情報領域と、
を含むことを特徴とする状況情報処理方法。
【発明の詳細な説明】
【０００１】
技術分野
本発明は、インターネットを通じてウェブサーバーに情報を転送し、ウェブサーバーに提供する情報を受信する端末装置に関し、特に、実生活で発生する状況情報を収集してリアルタイムでウェブサーバーに転送し、ウェブサーバーが提供する状況情報を受信することのできる端末装置に関する。
【０００２】
背景技術
近年、携帯電話のような携帯用端末装置およびインターネット使用の急増につれて、有・無線通信網を用いた情報提供装置およびその方法が種々提供されつつある。
【０００３】
このため、従来は、主にウェブ上の記録ツール（Ｔｏｏｌ）、電話、静止カメラなどによって収集した情報を、ウェブサイトを用いて情報利用者に提供し、または、オンライン（ｏｎ−ｌｉｎｅ）またはオフライン（ｏｆｆ−ｌｉｎｅ）上で収集した情報を、編集・加工してウェブサイトを用いて情報利用者に提供する方式を使用している。
【０００４】
図１は、情報利用者に情報を提供する従来のサイトを比較したものである。
【０００５】
同図に示されたように、各サイトは、主に少数の特定人に限定された主題をもって情報を提供するような方式をとっており、不特定多数によって得られた情報であるとしても、該情報を編集・加工するための別の編集手段を使用する必要がある。
【０００６】
すなわち、一般人が獲得した情報・資料などを不特定多数の情報利用者に公開するためには、パソコン（ＰＣ）上にインストールされた別の編集プログラムを用いて情報を編集し、または、専門人力が編集装備を用いて情報を編集する専門編集機関（例えば、インターネット会社など）に当該情報の編集を依頼するなどの過程を経る必要があるため、これによる費用を支払う必要があった。
【０００７】
また、一般人でない言論の記者のような特定の少数人によって取材されたニュースであるとしても、情報を一定の時間集めた後、別の編集過程を経て一度に多数の情報を情報利用者に公開または転送しているため、各情報がリアルタイムに提供できないという短所があった。
【０００８】
すなわち、ニュース速報や事件事故のようなリアルタイム情報を収集してから編集・加工などのような一連の過程を経た上で、ウェブまたは電子メールなどの手段を用いて情報利用者に一括して提供しているため、情報利用者が情報を提供されるまでに相当な時間がかかるという短所があった。
【０００９】
このように、従来、情報収集および編集方法に制約があるため、より速やかでかつ多様な情報を希望する顧客の要求に応えてサービスすることができないという短所があり、情報利用者は、制限された情報しか提供されないため、情報の時宜性の点からニュースまたは情報の価値が落ちてしまう。さらに、不特定多数が実生活中において獲得した多様な情報を手軽に公開できる方法が求められている。
【００１０】
発明の開示
本発明は、上記の問題点を解決するためになされたものであって、本発明の目的は、映像、音響または文字データを収集した後、収集された地域および主題に関する時間別状況情報を示す状況情報データとして自体的に編集を行ってウェブサーバーにリアルタイムに転送するための状況情報処理用携帯端末装置を提供することにある。
【００１１】
本発明の他の目的は、別の収集手段によって収集された映像、音響または文字データを編集してウェブサーバーにリアルタイムに転送するための状況情報処理装置を提供することにある。
【００１２】
本発明のまた他の目的は、映像、音響または文字データを収集した後、該データを編集してウェブサーバーにリアルタイムに転送するための状況情報処理方法を提供することにある。
【００１３】
上記の目的を達成するための本発明の状況情報処理用携帯端末装置は、ある地域および主題に関する映像データ、音響データ、文字データを収集する収集部と、前記データ収集部で収集されたデータを映像データを含めて結合した後、映像データの収集された時間を、該結合されたデータの発生時間情報として設定するデータ結合部と、前記データ収集部で収集された映像データと該収集された時間情報または前記データ結合部で生成された結合データに、使用者が選択した主題および地域に関するコード情報を付加し、当該地域および主題に関する時間別状況情報を示す状況情報データを生成するデータ編集部と、前記状況情報データをウェブサーバーに転送するデータ転送部と、前記状況情報データおよびウェブサーバーとの通信状態を表示するデータ出力部と、前記状況情報データを生成するための使用者の外部操作信号を入力する使用者インターフェース部と、前記使用者インターフェース部を介して入力される使用者の操作信号によって前記データ収集部、前記データ結合部、前記データ編集部、前記データ転送部および前記データ出力部の動作を制御する制御部と、を備えている。
また、本発明の他の目的を達成するための本発明の状況情報処理装置は、ある地域および主題に関する映像、音響および文字情報のうちのいずれか１つ以上の情報を収集し、該収集された時間情報と共に出力する携帯端末機と、前記携帯端末機で収集された情報に基づいて地域および主題に関する時間別状況情報を示す状況情報データを生成し、該状況情報データをウェブサーバーに転送するデータ処理部と、を備えている。
【００１４】
さらに、本発明のまた他の目的を達成するための本発明の状況情報処理方法は、携帯端末装置を用いてある地域および主題に関する映像、音響または文字データのうちのいずれか１つ以上のデータを収集する第１の過程と、前記収集されたデータを映像データを含めて結合させた後、映像データが収集された時間を、該結合されたデータの発生時間情報として設定する第２の過程と、前記第１の過程で収集された映像データと、該収集された時間情報または前記第２の過程で結合されたデータに、使用者が選択した主題および地域に関するコード情報を付加し、当該地域および主題に関する時間別状況情報を示す状況情報データを生成する第３の過程と、ウェブサーバーに前記状況情報データを転送する第４の過程と、を含む。
【００１５】
発明を実施するための最良の形態
以下、本発明の状況情報処理装置およびその処理方法に係る好適な実施例を添付の図面に基づいて詳細に説明する。
【００１６】
まず、図２は、本発明の一実施例に係る状況情報処理用携帯端末機の外形図であって、同図に示されたように、本発明の状況情報処理用携帯端末機（１００）は、映像信号を入力するためのデジタルカメラ部（１１）と、該映像を出力するためのディスプレイ部（１２）と、外部操作信号を入力するためのキーパッド部（１３）とを備えてなる。
【００１７】
状況情報処理用携帯端末機（１００）は、キーパッド部（１３）を介した使用者の操作によってデジタルカメラ部（１１）またはディスプレイ部（１２）が動作され、映像を収集またはディスプレイする。
【００１８】
なお、状況情報処理用携帯端末機（１００）は、マイク部、スピーカ部、ＵＳＢポートなどをさらに含むことができる。すなわち、状況情報処理用携帯端末機（１００）は、マイク部およびスピーカ部を用いて音響データを収集または出力し、ＵＳＢポートを用いてパソコン（ＰＣ）または別の編集器などとのデータ通信を行うこともある。
【００１９】
図３は、本発明の一実施例に係る状況情報処理用携帯端末機の内部ブロック図である。同図に示されたように、本発明の一実施例に係る状況情報処理用携帯端末機（１００）は、データ生成部（１１０）と、データ転送部（１２０）と、使用者インターフェース部（１３０）と、制御部（１４０）と、データ受信部（１５０）と、データ出力部（１６０）とを備えている。
【００２０】
データ生成部（１１０）は、ある地域および主題に関する映像、音響および文字データのうちのいずれか１つ以上のデータを収集し、当該地域および主題に関する時間別状況情報を示す状況情報データを生成する。
【００２１】
データ転送部（１２０）は、データ生成部（１１０）によって生成された状況情報データをウェブサーバーに転送する。このとき、データ転送部（１２０）は、シリアルポートまたはＵＳＢポートなどを用いて別の通信装備（携帯電話またはパソコン）と連結され、該通信装備によって状況情報データをウェブサーバーに転送し、または、無線通信で直接ウェブサーバーに状況情報データを転送する。また、状況情報データの転送時、データ転送部（１２０）は、ウェブサーバーの要請に応じて状況情報処理用携帯端末機の識別番号、現在時間情報および使用者情報を状況情報データに付加して転送することができる。
【００２２】
使用者インターフェース部（１３０）は、状況情報データを生成するための使用者の外部操作信号を入力する。
【００２３】
制御部（１４０）は、使用者インターフェース部（１３０）を介して入力される使用者の操作信号によってデータ生成部（１１０）、データ転送部（１２０）、データ受信部（１５０）およびデータ出力部（１６０）の動作を制御する。
【００２４】
データ受信部（１５０）は、ウェブサーバーから状況情報データを受信してデータ出力部（１６０）を介して出力する。
【００２５】
データ出力部（１６０）は、データ受信部（１５０）で受信した状況情報データおよびウェブサーバーとの通信状態を表示する。データ受信部（１５０）が状況情報データを受信した場合、データ出力部（１６０）は、該受信された状況情報データの分析を行った後、該状況情報データに含まれた映像、音響または文字データを分離し、該データの形態に応じてそれぞれ出力する。
【００２６】
なお、状況情報データには、状況情報データが属する地域および主題情報が必須的に含まれる必要があるが、各地域および主題に対応する地域コードおよび主題コードは、状況情報処理装置の内部メモリにおいて自体的に管理して使用することもでき、状況情報データの転送時にウェブサーバーから転送されて使用することもできる。より詳しくは、地域コードおよび主題コードを内部メモリに自体的に含む場合は、データ生成部（１１０）で状況情報データを生成する時、自体的に参照すれば良いが、地域コードおよび主題コードを自体的に含んでいない場合は、データ受信部（１５０）を介してウェブサーバーから転送される、ある主題および地域に関するコード情報を受信してデータ生成部（１１０）で使用するようにする。
【００２７】
図４は、本発明の一実施例に係るデータ生成部（１１０）の内部ブロック図である。図３に示されたように、データ生成部（１１０）は、映像信号入力部（１１１）、音響信号入力部（１１３）、文字信号入力部（１１５）、バッファ部（１１２、１１４、１１６）、データ結合部（１１７）、メモリ（１１８）およびデータ編集部（１１９）を含んでなる。映像信号入力部（１１１）、音響信号入力部（１１３）および文字信号入力部（１１５）は、それぞれ制御部（１４０）の制御によって、ある地域および主題に関する映像、音響または文字データをそれぞれ収集した後、それぞれのデータに関する前処理を行い、各バッファ部（１１２、１１４、１１６）は、映像信号入力部（１１１）、音響信号入力部（１１３）および文字信号入力部（１１５）を介して処理された各データを仮格納する。
【００２８】
データ結合部（１１７）は、音響信号入力部（１１３）および／または文字信号入力部（１１５）を介して音響データおよび／または文字データが入力された場合、映像信号入力部（１１１）を介して入力された映像データと音響データおよび／または文字データとを結合して出力する。このとき、データ結合部（１１７）は、映像データが収集された時間を基準にして結合されたデータの発生時間情報を設定する。
【００２９】
メモリ（１１８）は、状況情報処理装置の識別番号、主題・地域に関するコードおよび自体時間情報を格納・管理する。
【００３０】
データ編集部（１１９）は、入力されるデータに使用者が選択した主題および地域コードを付加し、当該地域および主題に関する時間別状況情報を示す状況情報データを生成する。なお、データ編集部（１１９）へ入力されるデータは、映像信号入力部（１１１）で入力された後バッファ部（１１２）を経た映像データで該収集された時間情報、またはデータ結合部（１１７）で結合されたデータである。
【００３１】
図５は、本発明の一実施例に係るデータ出力部（１６０）の内部ブロック図である。同図に示されたように、データ出力部（１６０）は、データ分析部（１６１）、画像信号処理部（１６２）、画像信号出力部（１６３）、音響信号処理部（１６４）および音響信号出力部（１６５）を備えてなる。
【００３２】
データ分析部（１６１）は、データ受信部（１５０）を介して伝達された状況情報データの分析を行い、該状況情報データに含まれた映像、音響または文字データをそれぞれ分離する。このとき、データ分析部（１６１）は、制御部（１４０）の制御を受ける。
【００３３】
画像信号処理部（１６２）は、データ分析部（１６１）で分離された映像および文字データに関する画像出力信号を生成してディスプレイし、音響信号処理部（１６４）は、データ分析部（１６１）で分離された音響データに関する音響出力信号を生成して出力する。
【００３４】
図６は、本発明の他の実施例に係る状況情報処理装置の内部ブロック図である。同図に示されたように、本発明の他の実施例に係る情報処理装置は、ある地域および主題に関する映像、音響または文字データのうちのいずれか１つ以上のデータを収集するデータ収集部（２１０）と、データ収集部（２１０）で収集された１つ以上のデータを処理するデータ処理部（２２０）とを備えてなる。
【００３５】
データ収集部（２１０）は、データ処理部（２２０）と分離して構成される携帯端末形態を有する。
【００３６】
データ処理部（２２０）は、データ収集部（２１０）にて収集された映像データまたは該映像データに文字データや音響データを結合した結合データに地域および主題情報を付加して状況情報データを生成した後、ウェブサーバーに伝達する。また、情報利用者の情報要求が発生した場合、データ処理部（２２０）は、ウェブサーバーから状況情報データを受信して当該情報利用者に提供する。
【００３７】
また、データ処理部（２２０）は、当該データを処理するためのプログラムがインストールされていてインターネットに連結可能なパソコンを用いて構成することができ、データ結合部（２２１）、データ編集部（２２２）、データ送信部（２２３）、制御部（２２４）、データ受信部（２２５）、データ分析部（２２６）、画像信号処理部（２２７）、画像信号出力部（２２８）、音響信号処理部（２２９）、音響信号出力部（２３０）およびメモリ（２３１）を備えてなる。
【００３８】
データ結合部（２２１）は、データ収集部（２１０）にて収集されたデータを映像データを含めて結合する。すなわち、映像データに音響データまたは文字データを結合した結合データを出力する。このとき、結合データの発生時間情報は、映像データが収集された時間を基準にして設定する。
【００３９】
データ編集部（２２２）は、データ収集部（２１０）にて収集された映像データと該収集された時間情報、またはデータ結合部（２２１）で生成された結合データに、使用者が選択した主題および地域に関するコードを付加し、当該地域および主題に対する時間別状況情報を示す状況情報データを生成する。
【００４０】
データ伝送部（２２３）は、状況情報データをウェブサーバーに転送する。
【００４１】
データ受信部（２２５）は、端末使用者が入力したデータ要求メッセージに対する応答としてウェブサーバーから状況情報データが転送される場合、該状況情報データを受信する。
【００４２】
データ分析部（２２６）、画像信号処理部（２２７）、画像信号出力部（２２８）、音響信号処理部（２２９）、音響信号出力部（２３０）は、それぞれ、図５に示されたデータ分析部（１６１）、画像信号処理部（１６２）、画像信号出力部（１６３）、音響信号処理部（１６４）および音響信号出力部（１６５）と同様な機能を行うため、重複説明は省略する。
【００４３】
メモリ（２３１）は、状況情報処理装置の識別番号、主題および地域に対するコードおよび自体時間情報を格納管理する。
【００４４】
なお、制御部（２２４）は、前述のような一連の処理過程を行うため、データ処理部（２２０）を構成する各構成要素に制御信号を出力する。
【００４５】
本発明の状況情報処理装置で生成され、ウェブサーバーに格納・管理される状況情報データの地域および主題コードは、状況情報処理装置で自体的に管理し、または、必要に応じてウェブサーバーから転送されて使用することもできる。
【００４６】
図７ａおよび図７ｂは、それぞれ本発明の実施例によって地域および主題コードを管理するためのデータベースを示す例示図である。
【００４７】
本発明の実施例によって状況情報データを生成するデータ生成部（１１０）では、状況情報データの生成時、図７ａおよび図７ｂのように分類格納された地域および主題コードに基づいて、当該状況情報データに当該地域および主題情報を付加する。
【００４８】
すなわち、状況情報データが弘益大学校入口に位置した公演場に関する情報である場合、該状況情報データの地域情報格納領域に「０５」、主題情報格納領域に「００４」が記録される。
【００４９】
図８は、本発明の実施例によって生成される状況情報データに関する構成図である。同図に示されたように、本発明の状況情報処理装置で管理するデータは、データの識別子領域であるヘッダ領域（７１０）、状況情報データが属する地域の情報を示す地域情報領域（７２０）、状況情報データが発生した時間情報を示す時間情報領域（７３０）、状況情報データの主題を示す主題領域（７４０）、状況情報データの内容である映像、音響および文字情報のうちのいずれか１つ以上の結合された情報を示すデータ領域（７５０）および状況情報データを発生させた情報提供者の情報を示す送信情報領域（７６０）を含む。なお、データ領域（７５０）は、映像データのための映像データ領域（７５１）、音響データのための音響データ領域（７５２）および文字データのための文字データ領域（７５３）のうちのいずれか１つ以上の領域が結合されて構成され、その結合状態に応じて各データの領域の長さが可変となる。
【００５０】
また、時間情報領域（７３０）は、当該データ領域に格納された映像（Ｖｉｄｅｏ）データの発生された時間を格納する。
【００５１】
図９は、本発明の実施例によって状況情報データを生成するための処理過程を示すフローチャートである。同図に示されたように、本発明の状況情報データの生成過程を説明すると、次の通りである。まず、データ収集過程によって外部から映像、音響および文字データのうちのいずれか１つ以上のデータが入力されると、該データの種類に応じた事前処理を行い、該データの種類別にデータを仮格納する（ｓ８０５、ｓ８１０、ｓ８１５）。
【００５２】
また、地域および主題に関するデータ収集が終了すると、映像データまたは映像データに音響または文字データのうちのいずれか１つ以上のデータを結合した結合データを出力し、該映像データまたは結合データに当該地域および主題コードを付加し、地域および主題に関する状況情報データを生成する（ｓ８２０乃至ｓ８３０）。
【００５３】
映像データに音響または文字データのいずれか１つ以上の信号を結合する時、該結合データの発生時間は、映像データが発生された時間をもって設定する。
【００５４】
一方、状況情報データに含まれる地域および主題に関するコード情報は、状況情報データを発生させる装置側において自体的に管理することができ、状況情報データを格納・管理するサーバーから必要に応じて転送されて使用することもできる。即ち、状況情報データの転送時に、当該地域および主題に関するコード情報をサーバーから転送されて使用する。
【００５５】
図１０は、本発明の実施例によって状況情報データを情報利用者に提供するための処理過程を示すフローチャートである。同図に示されたように、先ず、情報利用者から外部のサーバーで管理される状況情報データの利用を希望する要求メッセージを入力されると（ｓ９０５）、本発明による状況情報処理装置は、外部のサーバーに該要求メッセージを転送する（ｓ９１０）。また、要求メッセージに対する応答として外部のサーバーから状況情報データを受信すると（ｓ９１５）、状況情報処理装置は、受信された状況情報データの分析を行った後（ｓ９２０）、該状況情報データに含まれたデータの種類に応じて画像データまたは音響データに分類して情報利用者に出力する（ｓ９２５）。
【００５６】
図１１は、本発明の実施例によって状況情報データを情報利用者に提供するためのウェブページ画面を示す例示図であって、本発明の状況情報処理装置で状況情報を出力する方法の一例が示されている。
【００５７】
同図に示されたように、ある情報利用者が一定の地域内にある「カフェー」に関する状況情報を要請した場合、同図に示されたように各カフェー別に当該カフェーに関する最近の状況情報データ（カフェーの名称、情報の発生時間、文字情報および映像情報）を提供する。なお、状況情報データに音響情報が含まれた場合、該音響情報は、スピーカを介して出力される。
【００５８】
一方、情報利用者は、各カフェー別に提供された状況情報の下端に位置した「前」または「次」ボタンを用いて当該カフェーに関する前または次の状況情報データを要請することができる。
【００５９】
図１２は、本発明の装置を用いて具現したリアルタイム情報管理システムを示す例示図である。同図に示されたように、リアルタイム情報管理システムは、本発明の実施例によって地域および主題に関する状況情報データを発生させて出力する携帯端末機（１１１０）と、携帯型状況情報処理装置（１１１０）にて生成された状況情報データを格納・管理するウェブサーバー（１１４０）と、携帯型状況情報処理装置（１１１０）にて生成された状況情報データをウェブサーバー（１１４０）側に転送する通信装備（パソコン（１１２０）または携帯電話（１１３０））とを含み、ウェブサーバー（１１４０）は、インターネット（１１５０）を通じて状況情報処理装置またはインターネット（１１５０）に接続された別の端末装置（１１６０）を使用する情報利用者にデータを提供する。
【００６０】
より詳しくは、不特定多数の個々人が携帯型状況情報処理装置（１１１０）を用いて自分の位置した地域の主題別状況情報データを発生させた後、該状況情報データをパソコン（１１２０）または携帯電話（１１３０）のような通信装備を用いてウェブサーバー（１１４０）に伝達する。ウェブサーバー（１１４０）は、データを格納・管理し、不特定多数の情報利用者がインターネット（１１５０）に接続された端末装置（１１６０）を用いてデータを要求する場合、当該条件に合うデータを検索して情報利用者に提供するようにする。
【００６１】
なお、パソコン（１１２０）、携帯電話（１１３０）によって提供される通信機能は、図面に示されたように別体の装置にすることもでき、携帯型状況情報処理装置（１１１０）内に一体化して構成することもできる。
【００６２】
図１３は、本発明による状況情報処理装置（図３に示された状況情報処理用携帯端末機または図６に示された状況情報処理装置）（１１７０）からウェブサーバー（１１４０）へ情報ファイルを転送する過程に係る一実施例を示す手続図である。同図に示されたように、状況情報処理装置（１１７０）を用いてウェブサーバー（１１４０）へ状況情報データを転送するためには、先ず、状況情報処理装置（１１７０）がウェブサーバー（１１４０）にサービスメニュー要求メッセージを転送する（ｓ１２０１）。次いで、ウェブサーバー（９４０）では、該要求メッセージに対する受信処理を行った後（ｓ１２０２）、それに対する応答としてサービスメニューを送信する（ｓ１２０３）。
【００６３】
状況情報処理装置（１１７０）は、該サービスメニューを受信して内容を表示し（ｓ１２０４）、これに対する応答メッセージ（「はい」）を転送する（ｓ１２０５）。
【００６４】
ウェブサーバー（１１４０）は、該応答メッセージによって状況情報処理装置（１１７０）でサービスメニューを受信したのを確認し（ｓ１２０６）、各地域別コード情報が含まれた地域コードのリストを状況情報処理装置（１１７０）側に送信する（ｓ１２０７）。
【００６５】
状況情報処理装置（１１７０）は、該地域コードのリストを受信して画面に表示した後、地域コードの入力に関する案内メッセージ（「地域コードを入力してください」）をディスプレイし（ｓ１２０８）、使用者が地域コードを入力するまで待機する。また、使用者が地域コードを入力すると（例えば、「新村０２」）、状況情報処理装置（１１７０）は、該コード情報をウェブサーバー（１１４０）側に転送する（ｓ１２０９）。
【００６６】
ウェブサーバー（１１４０）は、該地域コードを受信して処理した後（ｓ１２１０）、各主題別コード情報が含まれた主題コードのリストを状況情報処理装置（１１７０）側に送信する（ｓ１２１１）。
【００６７】
状況情報処理装置（１１７０）は、該主題コードのリストを受信して画面に表示した後、主題コードの入力に関する案内メッセージ（「主題コードを入力してください」）をディスプレイし（ｓ１２１２）、使用者が主題コードを入力するまで待機する。また、使用者が主題コードを入力すると（例えば、「ケリカフェー００３」）、状況情報処理装置（１１７０）は、該コード情報をウェブサーバー（１１４０）側に転送する（ｓ１２１３）。
【００６８】
ウェブサーバー（１１４０）は、該主題コードを受信して処理した後（ｓ１２１４）、状況情報処理装置（１１７０）が提供しようとする情報が含まれたファイルの選択のための「ファイル選択呼び出し窓」を状況情報処理装置（１１７０）側に送信する（ｓ１２１５）。
【００６９】
状況情報処理装置（１１７０）は、該情報を受信して画面にディスプレイし（ｓ１２１６）、使用者が希望のファイルを選択するまで待機する。使用者がファイルを選択すると、状況情報処理装置（１１７０）は、選択したファイル情報をウェブサーバー（１１４０）側に転送する（ｓ１２１７）。
【００７０】
ウェブサーバー（１１４０）は、状況情報処理装置（１１７０）側で選択したファイル情報を確認し（ｓ１２１８）、該ファイルに対する転送確認メッセージを送信する（ｓ１２１９）。
【００７１】
状況情報処理装置（１１７０）は、転送確認メッセージ（例えば、「新村、ケリカフェーです。転送しますか」を）受信して画面にディスプレイし（ｓ１２２０）、使用者からの応答を待機する。そして、使用者が転送確認に対する応答として「はい」を入力すると、状況情報処理装置（１１７０）は、転送確認に対する応答（「はい」）をウェブサーバー（１１４０）側に転送する（ｓ１２２１）。
【００７２】
ウェブサーバー（１１４０）は、転送確認に対する応答を受信した後（ｓ１２２２）、転送受信メッセージを画面にディスプレイし（ｓ１２２４）、当該ファイルを送信する（ｓ１２２５）。
【００７３】
ウェブサーバー（１１４０）では、該ファイルを受信し（ｓ１２２６）、転送が完了すると、転送完了メッセージを状況情報処理装置（１１７０）側に送信した後（ｓ１２２７）、受信された情報に関する収集および処理を行う（ｓ１２３０）。
【００７４】
状況情報処理装置（１１７０）は、該転送完了メッセージを受信した後（ｓ１２２８）、ウェブサーバー（１１４０）との連結を切る（ｓ１２２９）。
【００７５】
前述の本発明の実施例は、本発明の一例を説明したものに過ぎず、添付の請求の範囲内で種々変更して実施することができる。例えば、本発明の実施例において具体的に示された各構成要素の形状および構造は、変更して実施することができる。
【００７６】
産業上の利用可能性
以上のように、本発明の状況情報処理装置およびその処理方法によれば、資料を収集してから別の編集過程を経ていた従来の新聞や放送社の情報提供方式とは異なり、別の資料収集と同時に簡便な編集過程にて生成された状況情報データを直にウェブサーバーに提供することで、資料収集からサービスまでの時間を短縮することができる。従って、情報利用者が希望する時点に、種々のニュースまたは情報データを利用することができ、情報の時宜性およびニュースの価値が高くなるという効果が得られる。
【００７７】
また、不特定多数の個人が、実生活において獲得した種々の情報を多数の情報利用者に容易に提供することができる。
【図面の簡単な説明】
【図１】情報利用者に情報を提供する従来のサイトに関する比較表である。
【図２】本発明の一実施例に係る状況情報処理用携帯端末機の外形図である。
【図３】本発明の一実施例に係る状況情報処理用携帯端末機の内部ブロック図である。
【図４】本発明の一実施例に係るデータ生成部の内部ブロック図である。
【図５】本発明の一実施例に係るデータ出力部の内部ブロック図である。
【図６】本発明の一実施例に係る状況情報処理装置の内部ブロック図である。
【図７ａ】本発明の実施例によって地域コードを管理するためのデータベースを示す例示図である。
【図７ｂ】本発明の実施例によって主題コードを管理するためのデータベースを示す例示図である。
【図８】本発明の実施例によって生成される状況情報データに関する構成図である。
【図９】本発明の実施例によって状況情報データを生成するための処理過程を示すフローチャートである。
【図１０】本発明の実施例によって状況情報データを情報利用者に提供するための処理過程を示すフローチャートである。
【図１１】本発明の実施例によって状況情報データを情報利用者に提供するためのウェブページ画面を示す例示図である。
【図１２】本発明の装置を用いて具現したリアルタイム情報管理システムを示す例示図である。
【図１３】図１２のリアルタイム情報管理システムによって携帯端末装置側からサーバー側に情報ファイルを転送する過程に係る一実施例を示す手続図である。
【図１】
2004519135.tif 000003
【図２】
2004519135.tif 000004
【図３】
2004519135.tif 000005
【図４】
2004519135.tif 000006
【図５】
2004519135.tif 000007
【図６】
2004519135.tif 000008
【図７ａ】
2004519135.tif 000009
【図７ｂ】
2004519135.tif 000010
【図８】
2004519135.tif 000011
【図９】
2004519135.tif 000012
【図１０】
2004519135.tif 000013
【図１１】
2004519135.tif 000014
【図１２】
2004519135.tif 000015
【図１３】
2004519135.tif 000016
【国際公開パンフレット】
2004519135.tif 000017
2004519135.tif 000018
2004519135.tif 000019
2004519135.tif 000020
2004519135.tif 000021
2004519135.tif 000022
2004519135.tif 000023
2004519135.tif 000024
2004519135.tif 000025
2004519135.tif 000026
2004519135.tif 000027
2004519135.tif 000028
2004519135.tif 000029
2004519135.tif 000030
2004519135.tif 000031
2004519135.tif 000032
2004519135.tif 000033
2004519135.tif 000034
2004519135.tif 000035
2004519135.tif 000036
2004519135.tif 000037
2004519135.tif 000038
2004519135.tif 000039
2004519135.tif 000040
2004519135.tif 000041
2004519135.tif 000042
2004519135.tif 000043
2004519135.tif 000044
2004519135.tif 000045
2004519135.tif 000046
2004519135.tif 000047
2004519135.tif 000048
2004519135.tif 000049
2004519135.tif 000050
2004519135.tif 000051
2004519135.tif 000052
2004519135.tif 000053
2004519135.tif 000054
2004519135.tif 000055
2004519135.tif 000056
2004519135.tif 000057
2004519135.tif 000058
2004519135.tif 000059
2004519135.tif 000060
2004519135.tif 000061
2004519135.tif 000062
2004519135.tif 000063
2004519135.tif 000064
2004519135.tif 000065
2004519135.tif 000066
2004519135.tif 000067
2004519135.tif 000068
【国際調査報告】
2004519135.tif 000069